(57)【要約】【課題】本発明は、ＲＦＩＤタグ付きロゴ板およびＲＦＩＤシステムに関し、ロゴが金属製であってもアンテナ特性の劣化を抑制することを目的とする。【解決手段】ＲＦＩＤタグ付きロゴ板２は、金属製のロゴ２ｂが表面側に形成された表面化粧板２ａの裏面側に管理物品を管理するためのＲＦＩＤタグ３を設け、ＲＦＩＤタグ３は基板３ａに識別情報を記憶保持するタグ回路部６とこのタグ回路部６に電気的に接続されたタグアンテナ部７とを備え、基板３ａのタグアンテナ部７を実装した実装面が表面化粧板２ａよりも肉厚の樹脂層２６を介して表面化粧板２ａに貼付されている。また、基板３ａの実装面と反対の裏面は基板３ａよりも肉厚の樹脂層２７を介して管理物品の樹脂製の外表面に両面接着テープなどにより貼付される。【選択図】図３
2010134573.tif 000002
【特許請求の範囲】
【請求項１】
金属製のロゴが表面に形成された表面化粧板の裏面側に管理物品を管理するためのＲＦＩＤタグを設けたＲＦＩＤタグ付きロゴ板であって、
前記ＲＦＩＤタグは基板に識別情報を記憶保持するタグ回路部とこのタグ回路部に電気的に接続されたタグアンテナ部とを備え、
前記基板の前記タグアンテナ部を実装した実装面が前記表面化粧板よりも肉厚の樹脂層を介して前記表面化粧板に貼付されていることを特徴とするＲＦＩＤタグ付きロゴ板。
【請求項２】
前記表面化粧板を樹脂により形成し、この表面化粧板の表面に金属メッキにより前記ロゴを形成したこと特徴とする請求項１に記載のＲＦＩＤタグ付きロゴ板。
【請求項３】
前記基板は、前記実装面と反対の裏面側が前記基板よりも肉厚の樹脂層を介して磁性体シートに接着され、この磁性体シートが前記基板よりも肉厚の樹脂層を介して前記管理物品の外表面に接着されることを特徴とする請求項１または請求項２に記載のＲＦＩＤタグ付きロゴ板。
【請求項４】
前記タグ回路部は、前記管理物品の個体を特定する情報を前記識別情報として記憶していることを特徴とする請求項１から請求項３のいずれか１項に記載のＲＦＩＤタグ付きロゴ板。
【請求項５】
請求項１から請求項４のいずれか１項に記載のＲＦＩＤタグ付きロゴ板と、
このＲＦＩＤタグ付きロゴ板に設けられているＲＦＩＤタグの管理物品に係る識別情報を読み取るリーダライタと、
前記管理物品に係る識別情報と場所情報とを関連付けした所在情報を管理する情報処理装置とを備え、
前記ＲＦＩＤタグ付きロゴ板を前記管理物品の前面側の外表面に取り付けて前記管理物品の所在管理を行う構成としたことを特徴とするＲＦＩＤシステム。
【発明の詳細な説明】
【技術分野】
【０００１】
本発明は、生産管理、物流管理、物品管理などに用いられるＲＦＩＤ（Ｒａｄｉｏ  Ｆｒｅｑｕｅｎｃｙ  ＩＤｅｎｔｉｆｉｃａｔｉｏｎ）タグ付きロゴ板およびＲＦＩＤシステムに関する。
【背景技術】
【０００２】
ＲＦＩＤタグは、タグアンテナ部と個別の識別情報を記憶することができるタグ回路部とを備えているので、このＲＦＩＤタグを用いて生産管理、物流管理、物品管理などを行うＲＦＩＤシステムが提案されている。すなわち、ＲＦＩＤシステムはＲＦＩＤタグとこのＲＦＩＤタグを読み取るリーダライタとを備え、ＲＦＩＤタグを管理物品の銘板に貼り付けておけば、リーダライタによりＲＦＩＤタグを読み取ることにより、個々の管理物品の所在を確認でき、管理物品を管理することができる（例えば、特許文献１参照）。
【特許文献１】特表２００２−５３６７２６号公報
【発明の開示】
【発明が解決しようとする課題】
【０００３】
上記従来例におけるＲＦＩＤシステムでは、銘板に付けられたＲＦＩＤタグを読み取るため、管理物品の背面または下面にある銘板を探す必要があった。そこで、管理物品のロゴが形成される表面化粧板にＲＦＩＤタグを貼り付けることで、上記銘板を探す手間を省き管理の効率化を図ることも考えられる。
【０００４】
しかしながら、ロゴが金属で形成されている場合、ＲＦＩＤタグのアンテナ特性が劣化し、これによってリーダライタとＲＦＩＤタグの交信が適切に行われず、読み取り性能が低下する。すなわち、ＲＦＩＤタグはタグアンテナ部を介してリーダライタと交信するものであるが、ロゴが金属で形成されている場合には、この金属の影響により上記タグアンテナ部のアンテナ特性が劣化するという課題があった。
【０００５】
そこで本発明は、ロゴが金属製であってもアンテナ特性の劣化を抑制することを目的とするものである。
【課題を解決するための手段】
【０００６】
この目的を達成するために本発明のＲＦＩＤタグ付きロゴ板は、金属製のロゴが表面に形成された表面化粧板の裏面側に管理物品を管理するためのＲＦＩＤタグを設けたものであって、ＲＦＩＤタグは基板に識別情報を記憶保持するタグ回路部とこのタグ回路部に電気的に接続されたタグアンテナ部とを備え、基板のタグアンテナ部を実装した実装面が表面化粧板よりも肉厚の樹脂層を介して表面化粧板に貼付されていることを特徴とする。これにより所期の目的を達成するものである。
【０００７】
また、本発明のＲＦＩＤシステムは、上記したＲＦＩＤタグ付きロゴ板と、このＲＦＩＤタグ付きロゴ板に設けられているＲＦＩＤタグの管理物品に係る識別情報を読み取るリーダライタと、管理物品に係る識別情報と場所情報とを関連付けした所在情報を管理する情報処理装置とを備え、ＲＦＩＤタグ付きロゴ板を管理物品の前面側の外表面に取り付けて管理物品の所在管理を行う構成としたことを特徴とする。これにより所期の目的を達成するものである。
【発明の効果】
【０００８】
以上のように本発明のＲＦＩＤタグ付きロゴ板は、金属製のロゴが表面側に形成された表面化粧板の裏面側に管理物品を管理するためのＲＦＩＤタグを設けたものであって、ＲＦＩＤタグは基板に識別情報を記憶保持するタグ回路部とこのタグ回路部に電気的に接続されたタグアンテナ部とを備え、基板のタグアンテナ部を実装した実装面が表面化粧板よりも肉厚の樹脂層を介して表面化粧板に貼付されているので、ロゴまたは表面化粧板とタグアンテナ部との間に一定の距離を設けることができ、ロゴまたは表面化粧板が金属製であっても、この金属の影響によりタグアンテナ部のアンテナ特性が劣化するのを抑えることができる。これにより、ロゴまたは表面化粧板が金属製であっても、アンテナ特性の劣化を抑制することができる。
【０００９】
また、本発明のＲＦＩＤシステムは、上記したＲＦＩＤタグ付きロゴ板と、このＲＦＩＤタグ付きロゴ板に設けられているＲＦＩＤタグの管理物品に係る識別情報を読み取るリーダライタと、管理物品に係る識別情報と場所情報とを関連付けした所在情報を管理する情報処理装置とを備え、ＲＦＩＤタグ付きロゴ板を管理物品の前面側の外表面に取り付けて管理物品の所在管理を行う構成としたので、ロゴまたは表面化粧板が金属製であっても、この金属の影響によりタグアンテナ部のアンテナ特性が劣化するのを抑え、リーダライタとＲＦＩＤタグの交信が適切に行われ、ＲＦＩＤタグの場所も見つけやすいため管理物品の所在管理を効率よく行うことができる。
【発明を実施するための最良の形態】
【００１０】
以下、本発明の実施の形態について、図面を参照しながら説明する。
【００１１】
（実施の形態）
まず、図１、図２を参照しながら、本発明の実施の形態におけるＲＦＩＤシステムについて説明する。ここでは、管理物品１が工場４０（製造会社も含む）から出荷され、各地域（例えば、図２中の地域Ａ、地域Ｂ）の販売店（個人の店や量販店を含む）などを介して各顧客の家に納品される場合の管理物品１の所在管理を例として説明する。
【００１２】
図１は本発明の実施の形態におけるＲＦＩＤシステム５の概略構成図、図２は同ＲＦＩＤシステム５の電気的なブロック図である。
【００１３】
図１に示すように、管理物品１の前面側には会社名、商品名、タイトル名など、文字を組み合わせて個性的な書体に図案化したロゴ２ｂが必ず設けられていることに着眼し、このロゴ２ｂが形成される表面化粧板２ａの裏面側に管理物品１を管理するためのＲＦＩＤタグ３を設けたＲＦＩＤタグ付きロゴ板２を取り付けている。
【００１４】
すなわち、図１および図２に示すように、ＲＦＩＤシステム５では、ＲＦＩＤタグ付きロゴ板２を各管理物品１の前面側の外表面１ａに設けている。そして、工場４０から出荷される全ての管理物品１の商品情報を情報処理装置である管理装置４１のデータベース４１ａ（以下、データベースを「ＤＢ」という）に登録した後、各地域の販売店４３に向けて管理物品１が出荷される。各地域の販売店４３では、ネットワーク４２を介して商品情報のデータを販売店４３の情報処理装置４４（例えば、パーソナルコンピュータなど）により取得し、この商品情報のデータに基づいて管理物品１を照合し、管理物品１の商品情報とこの管理物品１が所在する場所情報とを関連付けした所在情報を作成してＤＢ４４ａで管理する。
【００１５】
販売店４３では、顧客情報（住所などの場所情報、電話番号などの連絡先情報など）と顧客商品情報（各顧客に納品した商品情報）とを関連付けした管理物品１の所在情報を情報処理装置４４により作成し、情報処理装置４４が備えたＤＢ４４ａで所在情報を管理する。販売店４３では、情報処理装置４４のＤＢ４４ａに保存している管理物品１の所在情報を検索することにより、管理物品１の場所を簡単に知ることができる。
【００１６】
販売店４３では、店員が荷受または管理物品１を展示する際に管理物品１のＲＦＩＤタグ付きロゴ板２にリーダライタ４を近づけ、リーダライタ４によりＲＦＩＤタグ付きロゴ板２に設けられているＲＦＩＤタグ３を読み取る。また、管理物品１が購入者である顧客の家に管理物品１が納品されたときにも、店員が納品した管理物品１のＲＦＩＤタグ付きロゴ板２にリーダライタ４を近づけ、ＲＦＩＤタグ付きロゴ板２に設けられているＲＦＩＤタグ３をリーダライタ４により読み取る。そして、店員は販売店４３に戻ってから情報処理装置４４にリーダライタ４を接続し、顧客の家でリーダライタ４により読み取りした管理物品１の商品情報を情報処理装置４４に読み取らせてＤＢ４４ａに記憶されている所在情報を更新する。リーダライタ４と情報処理装置４４とは有線または無線により接続される。リーダライタ４はメモリ４ａを備え、このメモリ４ａにリーダライタ４が読み取りした管理物品１の商品情報を記憶する。これにより、リーダライタ４を単独で使用することができ、携帯も容易となる。
【００１７】
このようにして、販売店４３は、どの地域のどの家に何の管理物品１が存在するかの所在情報を効率化よく管理することができる。
【００１８】
また、顧客から管理物品１の廃棄依頼があった場合、販売店４３の店員は情報処理装置４４のＤＢ４４ａにより顧客の場所を検索し、検索した場所にある家を訪問して管理物品１を回収する。このとき、店員は管理物品１のＲＦＩＤタグ付きロゴ板２に設けられているＲＦＩＤタグ３をリーダライタ４により読み取る。そして、店員は販売店４３に戻ってから情報処理装置４４にリーダライタ４を接続し、リーダライタ４のメモリ４ａに記憶した商品情報（回収した管理物品１の商品情報）を制御部８を介して情報処理装置４４に読み取らせ、情報処理装置４４のＤＢ４４ａに記憶されている所在情報を更新する。すなわち、情報処理装置４４では、ＤＢ４４ａの回収済みまたは修理済みを示す情報が所在情報に付加され、管理物品１の所在管理に係る履歴情報も保存される。これにより、修理、回収をする必要がない管理物品１を確認し、適切な対応を行うことができる。
【００１９】
また、管理物品１を回収する製造会社指定のリサイクル業者や他の回収業者で行った場合にも、各業者がリーダライタ４によりＲＦＩＤタグ付きロゴ板２に設けられているＲＦＩＤタグ３を読み取り、管理物品１の所在情報に回収済みの情報を付加して履歴管理を行う。そして、販売店４３で管理されている所在情報とリサイクル業者や他の回収業者で回収された管理物品１の所在情報（修理情報を含む）とを連携させれば、管理物品１のさらに詳細な所在管理を行うことができる。
【００２０】
このように本実施の形態では、管理物品１の所在管理を行うときに、店員や関係業者は、重量の重い冷蔵庫などの場所を移動させて、背面や下面に貼付されている銘板を探して管理物品１の商品情報を確認するなどの手間が省け、管理物品１の前面側にあるＲＦＩＤタグ付きロゴ板２を容易に見つけることができる。そして、ＲＦＩＤタグ付きロゴ板２に設けられているＲＦＩＤタグ３をリーダライタ４を近づけて簡単に読み取ることができる。これにより、リーダライタ４で読み取るＲＦＩＤタグ３の場所も見つけやすく管理物品１の所在管理を効率よく行うことができる。
【００２１】
もし、製造会社などで管理物品１の修理を要する事態が発生し、管理物品１（例えば、特定の製造番号のもの）を回収、部品交換をする必要が発生した場合であっても、工場４０からの出荷先である各地域の各販売店４３に連絡すれば、各販売店４３は管理物品１の所在情報を管理しているので、この所在情報を利用して早期に対応することができる。すなわち、各販売店４３の店員は情報処理装置４４のＤＢ４４ａで管理されている所在情報を利用して、管理物品１がどの地域のどの家に納品されているかを知り、対象となる各家を訪問して修理対象となる管理物品１の回収、部品交換、修理を迅速に行うことができる。これにより、購入者は管理物品１を安全に安心して使用することができる。
【００２２】
具体的には、各管理物品１に取り付けられているＲＦＩＤタグ付きロゴ板２のＲＦＩＤタグ３には、図２に示すように、タグ回路部６が搭載され、このタグ回路部６には個別の識別情報を記憶するメモリ６ａが内蔵されている。
【００２３】
各管理物品１に貼付されたＲＦＩＤタグ３は、それが貼付された管理物品１ごとの個別の識別情報が、そのタグ回路部６のメモリ６ａに記憶されている。識別情報としては、例えば、管理物品１の個体を特定するための製品名、機種情報である型番、製造番号、製造日、製造場所などの商品情報である。これらの情報を単独、あるいは組み合わせて、管理物品１の個体を特定する。このように、ＲＦＩＤシステム５では、ＲＦＩＤタグ３の識別情報を用いて管理物品１を特定することができ、例えば「型番Ａの製造番号がＡＢＣ１２３番」の冷蔵庫を特定することができる。
【００２４】
その特定作業を行うのが図２に示すリーダライタ４で、このリーダライタ４は、ＲＦＩＤタグ３と交信し、ＲＦＩＤタグ３の内部に設けたメモリ６ａに記憶されている識別情報を読み取り、対象とする管理物品１であるか否かなどを特定するようになっている。
【００２５】
リーダライタ４を管理物品１のＲＦＩＤタグ付きロゴ板２に近づけ、ＲＦＩＤタグ付きロゴ板２に設けられているＲＦＩＤタグ３をリーダライタ４により読み取るとき、図２に示すように、リーダライタ４の制御部８からＲＦＩＤタグ３に、例えば「型番Ａの製造番号がＡＢＣ１２３番は存在するか？」という問い合わせが行われる。
【００２６】
この問い合わせ信号は、変調回路９により、９５３ＭＨｚの搬送波を変調し、送信回路１０、アンテナ１１を介してＲＦＩＤタグ３に向け出力される。
【００２７】
ＲＦＩＤタグ３は、そのタグアンテナ部７のアンテナ１２で問い合わせ信号を受信し、ダイオード１３とコンデンサ１４で、上記アンテナ１２からの信号の搬送波からＤＣ電圧を発生させ、この発生ＤＣ電圧により、制御回路１５、復調回路１６、変調回路１７、メモリ６ａを起動する。
【００２８】
すると、制御回路１５からの指示で復調回路１６は、受信信号から上記「型番Ａの製造番号がＡＢＣ１２３番は存在するか？」という問い合わせを復調する。
【００２９】
また、制御回路１５は、上記復調回路１６への指示と同時に、メモリ６ａに対して記憶している個別の識別情報を読み出している。
【００３０】
メモリ６ａに記憶された識別情報が「型番Ａの製造番号がＡＢＣ１２３番」であった場合、この制御回路１５は、その問い合わせに対して、「型番Ａの製造番号がＡＢＣ１２３番」が存在することを、変調回路１７を介してスイッチ１８のＯＮ、ＯＦＦを行うことで答える。
【００３１】
すなわち、スイッチ１８がＯＮされれば、アンテナ１２のａ点と、グランド部１９のｂ点とが短絡され、逆にスイッチ１８がＯＦＦされればアンテナ１２のａ点と、グランド部１９のｂ点とが開放され、このようなスイッチ１８のＯＮ、ＯＦＦの繰り返しパターンにより、結論としてＲＦＩＤタグ３のアンテナ１２から、リーダライタ４のアンテナ２０に「型番Ａの製造番号がＡＢＣ１２３番」が存在することが報告される。
【００３２】
リーダライタ４では、受信回路２１を介して返信信号が復調回路２２に伝達され、復調した信号により制御部８は「型番Ａの製造番号がＡＢＣ１２３番」の存在を確認し、リーダライタ４の表示部（図示せず）などに表示させて確認することができる。
【００３３】
また、リーダライタ４の制御部８からＲＦＩＤタグ３に、「型番Ａの製造番号がＡＢＣ１２３番」という問い合わせが行われたにもかかわらず、「型番Ａの製造番号がＡＢＣ１２３番」を記憶したＲＦＩＤタグ３が存在しない場合には、返信がないので、リーダライタ４はこの「返信なし」から、「型番Ａの製造番号がＡＢＣ１２３番」が存在しないことを確認する。
【００３４】
なお、この図２において、電源を供給する電源回路２３、各部へのクロックを生成するクロック回路２４、タグアンテナ部７のインピーダンス整合を行うためのコンデンサ２５をそれぞれ設けている。
【００３５】
ところで、図１に示すように、ＲＦＩＤタグ付きロゴ板２にＲＦＩＤタグ３を設けることにより、店員はＲＦＩＤタグ３のある場所を容易に見つけてリーダライタ４により読み取り所在管理の効率よく行うことができるがＲＦＩＤタグ３の読み取り性能が低下することもある。すなわち、ＲＦＩＤタグ３はタグアンテナ部７を介してリーダライタ４と交信するため、ＲＦＩＤタグ付きロゴ板２のロゴ２ｂや表面化粧板２ａがステンレスなどの金属製または金属メッキにより形成されている場合には、この金属の影響により上記タグアンテナ部７のアンテナ特性が劣化する。これは、インピーダンス不整合、電波の遮蔽、電波の乱反射、周波数のシフトなどによりタグアンテナ部７が影響を受けるためと考えられる。
【００３６】
そこで、本実施の形態では図３のような構成となっている。図３は本発明の実施の形態におけるＲＦＩＤタグ付きロゴ板２の分解斜視図である。
【００３７】
すなわち、ＲＦＩＤタグ付きロゴ板２は、金属製のロゴ２ｂが表面に形成された表面化粧板２ａの裏面側に管理物品１を管理するためのＲＦＩＤタグ３を設け、ＲＦＩＤタグ３は基板３ａに識別情報を記憶保持するタグ回路部６とこのタグ回路部６に電気的に接続されたタグアンテナ部７とを備え、基板３ａのタグアンテナ部７を実装した実装面が表面化粧板２ａよりも肉厚の樹脂層２６を介して表面化粧板２ａに貼付されている。また、基板３ａの実装面と反対の裏面は基板３ａよりも肉厚の樹脂層２７を介して、プラスチックなどの樹脂で形成された管理物品１の外表面１ａに両面接着テープなどにより貼付されている。樹脂層２６、２７として、タグアンテナ部７からの電界を遮蔽しない低損失なもの、例えば、ポリエチレンテレフタレート（ＰＥＴ）材などのプラスチックシートなどを用いる。外表面１ａが樹脂製の管理物品１としては、例えば、電話機、ＦＡＸ、エアコンなどがある。
【００３８】
このように、表面化粧板２ａよりも肉厚の樹脂層２６を介して表面化粧板２ａに基板３ａが貼付されるため、ロゴ２ｂまたは表面化粧板２ａとタグアンテナ部７との間に一定の距離の隙間を設けることができ、ロゴ２ｂまたは表面化粧板２ａが金属製であっても、この金属の影響によりタグアンテナ部７のアンテナ特性が劣化するのを抑えることができる。
【００３９】
また、管理物品１の外表面１ａからＲＦＩＤタグ付きロゴ板２が突出しすぎて取り扱い中に周辺の物品に接触して破損してしまうのを防ぐために、樹脂層２６の肉厚を薄くできるように表面化粧板２ａを形成した。すなわち、表面化粧板２ａを樹脂で形成し、この表面化粧板２ａの表面に金属メッキによりロゴ２ｂを形成した。これにより、表面化粧板２ａが影響してタグアンテナ部７から発生する電界が抑えられるのを防ぎ、ロゴ２ｂの隙間から電波が通りぬけるため、樹脂層２６の肉厚を薄くしても、タグアンテナ部７のアンテナ特性の劣化を抑えることができる。
【００４０】
なお、管理物品１の外表面１ａが樹脂製であった場合について説明したが、金属製の外表面１ａの場合、この金属の影響によりタグアンテナ部７のアンテナ特性が劣化する。これは、金属（低インピーダンス）への接近または接触による電流の流出、周波数のシフト、インピーダンス不整合などによりタグアンテナ部７が影響を受けるためと考えられる。
【００４１】
外表面１ａが金属で形成された電化製品としては、例えば、冷蔵庫、電子レンジ、洗濯機、テレビ受像機などがある。
【００４２】
そこで、本実施の形態では、このように管理物品１の外表面１ａが金属製である場合には、図４に示す構成としている。図４は、管理物品１の外表面１ａが金属で形成されている場合の、本発明の実施の形態におけるＲＦＩＤタグ付きロゴ板２の他の例を示す分解斜視図である。
【００４３】
すなわち、図４に示すように、ＲＦＩＤタグ付きロゴ板３０は、金属製のロゴ２ｂが表面に形成された表面化粧板２ａの裏面側に管理物品１を管理するためのＲＦＩＤタグ３を設け、ＲＦＩＤタグ３は基板３ａに識別情報を記憶保持するタグ回路部６とこのタグ回路部６に電気的に接続されたタグアンテナ部７とを備え、基板３ａのタグアンテナ部７を実装した実装面が表面化粧板２ａよりも肉厚の樹脂層２６を介して表面化粧板２ａに貼付されている。そして、ＲＦＩＤタグ付きロゴ板３０は、さらに、ＲＦＩＤタグ３の基板３ａの実装面と反対の裏面側が基板３ａよりも肉厚の樹脂層２７を介して磁性体シート２８に接着され、この磁性体シート２８を基板３ａよりも肉厚の樹脂層２９を介して管理物品１の外表面１ａに両面接着テープなどにより接着している。磁性体シート２８はフェライト系またはセンダスト系などの高透磁率材料で構成され、金属に比べて高インピーダンスなものである。この磁性体シート２８により基板３ａのタグアンテナ部７を覆うように積層する。
【００４４】
これにより、管理物品１の外表面１ａが金属製である場合、この金属表面に近接する近傍付近は、上記したように非常に低インピーダンスな領域であり、電界はタグアンテナ部７が金属に近づけば近づく程、零に近づきアンテナ特性は急激に劣化する。これに反し、磁性体シート２８は、金属に比べ高いインピーダンスを示すため、電界はタグアンテナ部７が磁性体シートに近づいても、零にならず高い値となり、アンテナ特性の劣化を防ぐことが可能で、リーダライタ４とＲＦＩＤタグ３との交信が可能となる。さらに、タグアンテナ部７と磁性体シート２８との間に樹脂層２７により一定の距離の隙間を設け、磁性体シート２８による周波数シフトや損失の影響を受けないようにしている。これと共に、金属表面とタグアンテナ部７との間に一定の距離の隙間を設けることにより、管理物品１における外表面１ａの金属の影響によりタグアンテナ部７のアンテナ特性が劣化するのをより抑えることができ、その結果として図２に示すリーダライタ４とＲＦＩＤタグ３との交信が適切に行われる。
【００４５】
以上のように本実施の形態によれば、ＲＦＩＤタグ付きロゴ板２、３０は、金属製のロゴ２ｂが表面に形成された表面化粧板２ａの裏面側に管理物品１を管理するためのＲＦＩＤタグ３を設け、ＲＦＩＤタグ３は基板３ａに識別情報を記憶保持するタグ回路部６とこのタグ回路部６に電気的に接続されたタグアンテナ部７とを備え、基板３ａのタグアンテナ部７を実装した実装面が表面化粧板２ａよりも肉厚の樹脂層２７を介して表面化粧板２ａに貼付されている。また、基板３ａの実装面と反対の裏面は樹脂層２７を介して、管理物品１の樹脂製の外表面１ａに両面接着テープなどにより貼付される。
【００４６】
これにより、ＲＦＩＤタグ３は所定の肉厚を有する樹脂層２６を介して表面化粧板２ａに貼付されているので、ロゴ２ｂや表面化粧板２ａの金属の影響によりタグアンテナ部７のアンテナ特性が劣化するのを抑えることができる。
【００４７】
また、ＲＦＩＤシステム５は、上記したＲＦＩＤタグ付きロゴ板２、３０と、このＲＦＩＤタグ付きロゴ板２、３０に設けられているＲＦＩＤタグ３の管理物品に係る識別情報を読み取るリーダライタ４と、管理物品１に係る識別情報と場所情報とを関連付けした所在情報を管理する情報処理装置４４とを備え、ＲＦＩＤタグ付きロゴ板２、３０を管理物品１の前面側の外表面１ａに取り付け、ＲＦＩＤタグ付きロゴ板２、３０のＲＦＩＤタグ３をリーダライタ４により読み取り管理物品１の所在管理を行う構成としたので、ロゴ２ｂまたは表面化粧板２ａが金属製であっても、この金属の影響によりタグアンテナ部７のアンテナ特性が劣化するのを抑え、リーダライタ４とＲＦＩＤタグ３の交信が適切に行われる。また、ＲＦＩＤタグ付きロゴ板２、３０は管理物品１の前面側の外表面１ａに設けられているため、工場４０、販売店４３、顧客の家などで作業する者は、ＲＦＩＤタグ付きロゴ板２、３０を容易に見つけ、ＲＦＩＤタグ付きロゴ板２、３０にリーダライタ４を近づけ、リーダライタ４によりＲＦＩＤタグ付きロゴ板２、３０に設けられているＲＦＩＤタグ３を読み取り管理物品１の識別情報（商品情報など）を取得することができる。これにより、ＲＦＩＤタグ３の場所も見つけやすいため管理物品１の所在管理を効率よく行うことができる。
【００４８】
なお、ＲＦＩＤタグ３の識別情報に履歴情報を付加するようにしてもよい。例えば、個々の管理物品１の部品を交換したときに、メモリ６ａに交換した部品の品番、交換日などを履歴情報として記憶する。これにより、「型番Ａの製造番号がＡＢＣ１２３番のコンプレッサは○年○月に交換済み」などの情報を知ることができ、このことから確認中の管理物品１を修理対象から除くことができる。
【産業上の利用可能性】
【００４９】
以上のように本発明のＲＦＩＤタグ付きロゴ板は、金属製のロゴが形成された表面化粧板の裏面側に管理物品を管理するためのＲＦＩＤタグを設けたものであって、ＲＦＩＤタグは基板に識別情報を記憶保持するタグ回路部とこのタグ回路部に電気的に接続されたタグアンテナ部とを備え、基板のタグアンテナ部を実装した実装面が表面化粧板よりも肉厚の樹脂層を介して表面化粧板に貼付されているので、ロゴとタグアンテナ部との間に一定の距離を設けることができ、金属製のロゴの影響によりタグアンテナ部のアンテナ特性が劣化するのを抑えることができる。これにより、ロゴが金属製であってもアンテナ特性の劣化を抑制することを可能とするＲＦＩＤタグ付きロゴ板、それを用いたＲＦＩＤシステムに広く活用が期待されるものとなる。
【図面の簡単な説明】
【００５０】
【図１】本発明の実施の形態におけるＲＦＩＤシステムの概略構成図
【図２】同ＲＦＩＤシステムの電気的ブロック図
【図３】本発明の実施の形態におけるＲＦＩＤタグ付きロゴ板の分解斜視図
【図４】同ＲＦＩＤタグ付きロゴ板の他の例を示す分解斜視図
【符号の説明】
【００５１】
１    管理物品
１ａ    外表面
２，３０    ＲＦＩＤタグ付きロゴ板
２ａ    表面化粧板
２ｂ    ロゴ
３    ＲＦＩＤタグ
３ａ    基板
４    リーダライタ
４ａ，６ａ    メモリ
５    ＲＦＩＤシステム
６    タグ回路部
７    タグアンテナ部
８    制御部
９    変調回路
１０    送信回路
１１，１２，２０    アンテナ
１３    ダイオード
１４，２５    コンデンサ
１５    制御回路
１６，２２    復調回路
１７    変調回路
１８    スイッチ
１９    グランド部
２１    受信回路
２３    電源回路
２４    クロック回路
２６，２７，２９    樹脂層
２８    磁性体シート
４０    工場
４１    管理装置
４１ａ，４４ａ    ＤＢ
４２    ネットワーク
４３    販売店
４４    情報処理装置
【図１】
2010134573.tif 000003
【図２】
2010134573.tif 000004
【図３】
2010134573.tif 000005
【図４】
2010134573.tif 000006